(57)【要約】【課題】  壁を２重線で作成する際における煩雑さを解消し、壁を簡易に２重線で作図することができる建物の平面図作成方法および平面図作成装置を提供する。【解決手段】  コンピュータを用いて建物の平面図を作成する際に、建物の平面図を壁を含めて基本線２１で作成し、前記基本線２１による平面図に、壁の部分をマスクするマスク部３２を有する開口要素２３を、前記マスク部３２の中心線を前記基本線２１に一致させて配置し、前記基本線２１で作成された壁を同基本線２１を基準に自動的に擬似２重線２６で壁厚に対応させかつ包絡されたように作図し、前記擬似２重線２６で壁が作図された建物の平面図を開口部を前記マスク部３２によりマスクした状態で出力するものである。【選択図】  図１
2005182235.tif 000002
【特許請求の範囲】
【請求項１】
コンピュータを用いて建物の平面図を作成する平面図作成方法であって、
建物の平面図を壁を含めて基本線で作成する手順と、
前記基本線による平面図に、壁の部分をマスクするマスク部を有する開口要素を、前記マスク部の中心線を前記基本線に一致させて配置する手順と、
前記基本線で作成された壁を、同基本線を基準に擬似２重線で壁厚に対応させ、かつ、包絡されたように自動的に作図する手順と、
前記擬似２重線で壁が作図された建物の平面図を、開口部を前記マスク部によりマスクした状態で出力する手順
とを含むことを特徴とする建物の平面図作成方法。
【請求項２】
基本線による平面図が開口要素を含んで復元可能とされていることを特徴とする請求項１記載の建物の平面図作成方法。
【請求項３】
コンピュータを用いて建物の平面図を作成する平面図作成方法であって、
建物の平面図を壁を含めて基本線で作成する手順と、
前記基本線による平面図に、壁の端部を包絡する包絡線分を含むマスク部を有する開口要素を、前記マスク部の中心線を前記基本線に一致させて配置する手順と、
前記基本線で作成された壁を同位置に複写して壁作図線を自動的に作成する手順と、
前記基本線を壁芯に自動的に変換する手順と、
前記壁作図線の前記マスク部と重なる部分を自動的に削除する手順と、
前記マスク部と重なる部分が削除された壁作図線を壁厚に対応させてオフセットさせて壁線を自動的に作成する手順と、
前記マスク部を包絡線分を残して自動的に削除する手順と、
壁の交差部分を自動的に包絡して壁が２重線で表された建物の平面図を得る手順
とを含むことを特徴とする建物の平面図作成方法。
【請求項４】
演算処理装置と入力装置と出力装置とを備えてなる建物の平面図作成装置であって、
前記演算処理装置が、
建物の平面図を壁を含めて基本線で作成する基本線描画処理部と、
前記基本線による平面図に、壁の部分をマスクするマスク部を有する開口要素を、前記マスク部の中心線を前記基本線に一致させて配置する開口要素配置処理部と、
前記基本線で作成された壁を、同基本線を基準に擬似２重線で壁厚に対応させ、かつ、包絡されたように作図する擬似２重線化処理部
とを有し、
前記出力装置が、前記擬似２重線で壁が作図された建物の平面図を、開口部を前記マスク部によりマスクした状態で出力するようにされてなる
ことを特徴とする建物の平面図作成装置。
【請求項５】
演算処理装置が、基本線による平面図が開口要素を含んで復元可能に構成されていることを特徴とする請求項４記載の建物の平面図作成装置。
【請求項６】
演算処理装置と入力装置と出力装置とを備えてなる建物の平面図作成装置であって、
前記演算処理装置が、
建物の平面図を壁を含めて基本線で作成する基本線描画処理部と、
前記基本線による平面図に、壁の端部を包絡する包絡線分を含むマスク部を有する開口要素を、前記マスク部の中心線を前記基本線に一致させて配置する開口要素配置処理部と、
基本線描画処理部により基本線で作成された壁を同位置に複写して壁作図線を作成し、前記基本線を壁芯に変換し、前記壁作図線の前記マスク部と重なる部分を削除し、前記マスク部と重なる部分が削除された壁作図線を壁厚に対応させてオフセットさせて壁線を作成し、前記マスク部を包絡線分を残して削除して壁を壁厚に対応する２重線で作図する２重線化処理部と、
前記２重線化処理部により２重線で作図された壁の交差部分を包絡する包絡処理部
とを有してなることを特徴とする建物の平面図作成装置。
【請求項７】
コンピュータを用いて建物の平面図を作成するためのコンピュータに読み取り可能なプログラムであって、
建物の平面図を壁を含めて基本線で作成する手順と、
前記基本線による平面図に、壁の部分をマスクするマスク部を有する開口要素を、前記マスク部の中心線を前記基本線に一致させて配置する手順と、
前記基本線で作成された壁を、同基本線を基準に擬似２重線で壁厚に対応させ、かつ、包絡されたように作図する手順と、
前記擬似２重線で壁が作図された建物の平面図を、開口部を前記マスク部によりマスクした状態で出力する手順
とを含むことを特徴とするコンピュータに読み取り可能なプログラム。
【請求項８】
基本線による平面図が開口要素を含んで復元する手順が付加されていることを特徴とする請求項７記載のコンピュータに読み取り可能なプログラム。
【請求項９】
コンピュータを用いて建物の平面図を作成するためのコンピュータに読み取り可能なプログラムであって、
建物の平面図を壁を含めて基本線で作成する手順と、
前記基本線による平面図に、壁の端部を包絡する包絡線分を含むマスク部を有する開口要素を、前記マスク部の中心線を前記基本線に一致させて配置する手順と、
前記基本線で作成された壁を同位置に複写して壁作図線を作成する手順と、
前記基本線を壁芯に変換する手順と、
前記壁作図線の前記マスク部と重なる部分を削除する手順と、
前記マスク部と重なる部分が削除された壁作図線を壁厚に対応させてオフセットさせて壁線を作成する手順と、
前記マスク部を包絡線分を残して削除する手順と、
壁の交差部分を包絡して壁が２重線で表された建物の平面図を得る手順
とを含むことを特徴とするコンピュータに読み取り可能なプログラム。
【請求項１０】
請求項７ないし請求項９のいずれか一項に記載のコンピュータに読み取り可能なプログラムが格納されていることを特徴とするコンピュータに読み取り可能な記録媒体。
【発明の詳細な説明】
【技術分野】
【０００１】
本発明は建物の平面図作成方法および平面図作成装置に関する。さらに詳しくは、簡易に建物の平面図の作成がなし得る建物の平面図作成方法および平面図作成装置に関する。
【背景技術】
【０００２】
従来より、建物の平面図において壁はその厚さに相当する２重線により表すことが一般的になされている。これは、壁面により囲まれた部屋の広さを把握するのに都合がよいことなどの理由による。
【０００３】
かかる建物の平面図をＣＡＤ（computer aided design）等の作図用ソフトウェアを用いて作成する場合、この壁を表す２重線は、例えば、基線を選択しその基線を中心としていわゆる２重線コマンドにより２重線を中心振り分けにて作成したり、あるいは外壁を単線にて作図しておき、その外壁をいわゆるオフセットコマンドにより所定量オフセットさせて作成し、壁の交差個所や窓などの開口が設けられた個所ごとに包絡することがなされている。
【０００４】
しかるに、建築設計では壁は、追加、削除および変更（位置の変更や厚さの変更など）がしばしばなされる。このことが、壁を２重線で表す際における煩雑さを増幅している。
【発明の開示】
【発明が解決しようとする課題】
【０００５】
本発明はかかる従来技術の課題に鑑みなされたものであって、壁を２重線で作成する際における煩雑さを解消し、壁を２重線で自動的に作図することができる建物の平面図作成方法および平面図作成装置を提供することを目的としている。
【課題を解決するための手段】
【０００６】
本発明の建物の平面図作成方法の第１形態は、コンピュータを用いて建物の平面図を作成する平面図作成方法であって、建物の平面図を壁を含めて基本線で作成する手順と、前記基本線による平面図に、壁の部分をマスクするマスク部を有する開口要素を、前記マスク部の中心線を前記基本線に一致させて配置する手順と、前記基本線で作成された壁を、同基本線を基準に擬似２重線で壁厚に対応させ、かつ、包絡されたように自動的に作図する手順と、前記擬似２重線で壁が作図された建物の平面図を、開口部を前記マスク部によりマスクした状態で出力する手順とを含むことを特徴とする。
【０００７】
本発明の建物の平面図作成方法の第１形態においては、基本線による平面図が開口要素を含んで復元可能とされているのが好ましい。
【０００８】
本発明の建物の平面図作成方法の第２形態は、コンピュータを用いて建物の平面図を作成する平面図作成方法であって、建物の平面図を壁を含めて基本線で作成する手順と、前記基本線による平面図に、壁の端部を包絡する包絡線分を含むマスク部を有する開口要素を、前記マスク部の中心線を前記基本線に一致させて配置する手順と、前記基本線で作成された壁を同位置に複写して壁作図線を自動的に作成する手順と、前記基本線を壁芯に自動的に変換する手順と、前記壁作図線の前記マスク部と重なる部分を自動的に削除する手順と、前記マスク部と重なる部分が削除された壁作図線を壁厚に対応させてオフセットさせて壁線を自動的に作成する手順と、前記マスク部を包絡線分を残して自動的に削除する手順と、壁の交差部分を包絡して壁が２重線で表された建物の平面図を自動的に得る手順とを含むことを特徴とする。
【０００９】
本発明の建物の平面図作成装置の第１形態は、演算処理装置と入力装置と出力装置とを備えてなる建物の平面図作成装置であって、前記演算処理装置が、建物の平面図を壁を含めて基本線で作成する基本線描画処理部と、前記基本線による平面図に、壁の部分をマスクするマスク部を有する開口要素を、前記マスク部の中心線を前記基本線に一致させて配置する開口要素配置処理部と、前記基本線で作成された壁を、同基本線を基準に擬似２重線で壁厚に対応させ、かつ、包絡されたように作図する擬似２重線化処理部とを有し、前記出力装置が、前記擬似２重線で壁が作図された建物の平面図を、開口部を前記マスク部によりマスクした状態で出力するようにされてなることを特徴とする。
【００１０】
本発明の建物の平面図作成装置の第１形態においては、演算処理装置が、基本線による平面図が開口要素を含んで復元可能に構成されているのが好ましい。
【００１１】
本発明の建物の平面図作成装置の第２形態は、演算処理装置と入力装置と出力装置とを備えてなる建物の平面図作成装置であって、前記演算処理装置が、建物の平面図を壁を含めて基本線で作成する基本線描画処理部と、前記基本線による平面図に、壁の端部を包絡する包絡線分を含むマスク部を有する開口要素を、前記マスク部の中心線を前記基本線に一致させて配置する開口要素配置処理部と、基本線描画処理部により基本線で作成された壁を同位置に複写して壁作図線を作成し、前記基本線を壁芯に変換し、前記壁作図線の前記マスク部と重なる部分を削除し、前記マスク部と重なる部分が削除された壁作図線を壁厚に対応させてオフセットさせて壁線を作成し、前記マスク部を包絡線分を残して削除して壁を壁厚に対応する２重線で作図する２重線化処理部と、前記２重線化処理部により２重線で作図された壁の交差部分を包絡する包絡処理部とを有してなることを特徴とする。
【００１２】
本発明のコンピュータに読み取り可能なプログラムの第１形態は、コンピュータを用いて建物の平面図を作成するためのコンピュータに読み取り可能なプログラムであって、建物の平面図を壁を含めて基本線で作成する手順と、前記基本線による平面図に、壁の部分をマスクするマスク部を有する開口要素を、前記マスク部の中心線を前記基本線に一致させて配置する手順と、前記基本線で作成された壁を、同基本線を基準に擬似２重線で壁厚に対応させ、かつ、包絡されたように作図する手順と、前記擬似２重線で壁が作図された建物の平面図を、開口部を前記マスク部によりマスクした状態で出力する手順とを含むことを特徴とする。
【００１３】
本発明のコンピュータに読み取り可能なプログラムの第１形態においては、基本線による平面図が開口要素を含んで復元する手順が付加されているのが好ましい。
【００１４】
本発明のコンピュータに読み取り可能なプログラムの第２形態は、コンピュータを用いて建物の平面図を作成するためのコンピュータに読み取り可能なプログラムであって、建物の平面図を壁を含めて基本線で作成する手順と、前記基本線による平面図に、壁の端部を包絡する包絡線分を含むマスク部を有する開口要素を、前記マスク部の中心線を前記基本線に一致させて配置する手順と、前記基本線で作成された壁を同位置に複写して壁作図線を作成する手順と、前記基本線を壁芯に変換する手順と、前記壁作図線の前記マスク部と重なる部分を削除する手順と、前記マスク部と重なる部分が削除された壁作図線を壁厚に対応させてオフセットさせて壁線を作成する手順と、前記マスク部を包絡線分を残して削除する手順と、壁の交差部分を包絡して壁が２重線で表された建物の平面図を得る手順
とを含むことを特徴とする。
【００１５】
しかして、本発明のコンピュータに読み取り可能なプログラムは、コンピュータに読み取り可能な記録媒体に格納される。
【発明の効果】
【００１６】
本発明によれば、壁を２重線で作成する際における煩雑さを解消し、包絡された壁を２重線で自動的に作図することができるという優れた効果が得られる。
【発明を実施するための最良の形態】
【００１７】
以下、添付図面を参照しながら本発明を実施形態に基づいて説明するが、本発明はかかる実施形態のみに限定されるものではない。
【００１８】
実施形態１
図１に、本発明の実施形態１に係る建物の平面図作成方法が適用されてなる建物の平面図作成装置（以下、単に作成装置という）を機能ブロック図により示す。
【００１９】
作成装置Ｋは、具体的には、コンピューターシステムを用いてなるいわゆるＣＡＤ（computer aided design）システムとされる。すなわち、作成装置Ｋは、ＣＰＵ（Central Processing Unit: 中央演算処理装置）およびＲＡＭからなる内部記憶装置を含む演算処理装置（例えばコンピュータ）１と、ハードディスク、光磁気ディスク等からなる補助記憶装置２と、出力装置の一種である液晶表示装置などのディスプレイ装置３と、キーボード、マウスなどからなる入力装置４と、各種プリンタやプロッターなどからなる出力装置５とを基本的な構成要素として備え、これに、後述する各処理に対応したプログラムを組み込むようにして構成されている。
【００２０】
演算処理装置１は、基本線描画処理部１１と、柱要素配置処理部１２と、開口要素配置処理部１３と、擬似２重線化処理部１４とを主要部として備えてなるものとされる。
【００２１】
基本線描画処理部１１は、入力装置４からの入力に応じて、図２に示すように、基本線(１本線)２１による建物の平面図を作成する。すなわち、基本線描画処理部１１は、外壁や仕切り壁を１本線２１により作図する処理をなすものとされる。ここで、１本線２１は、例えば壁の中心線(壁芯)と一致するように配置するものとされる。
【００２２】
柱要素配置処理部１２は、入力装置４からの入力に応じて、図２に示すように、基本線描画処理部１１により１本線２１を用いて作図された平面図の指定位置に、柱を表す図形である柱要素２２を、指定されたサイズとなるよう変倍し、かつ指定された姿勢となるよう回転して配置する処理をなすものとされる。ここで、変倍とは、図形を縦横に所定の倍率で拡大または縮小することをいう。このとき、縦横の倍率はそれぞれ独立に調整することが可能とされる。このような柱要素２２は、補助記憶装置２にデータベースとして保存されており、入力装置４からの入力に応じて演算処理装置１に読み出され、平面図上に配置される。
【００２３】
開口要素配置処理部１３は、入力装置４からの入力に応じて、図３に示すように、基本線描画処理部１１により１本線２１を用いて作図された平面図の指定位置に、ドア、窓などの開口部を表す図形である開口要素２３を、指定されたサイズとなるよう変倍し、かつ指定された姿勢となるよう回転して配置する処理をなすものとされる。このような開口要素２３は、補助記憶装置２にデータベースとして保存されており、入力装置４からの入力に応じて演算処理装置１に読み出され、平面図上に配置される。
【００２４】
図４に、開口要素２３の例を示す。同図（ａ）は片開き扉２３Ａを示し、同図（ｂ）は両開き扉２３Ｂを示し、同図（ｃ）は両引戸式の窓２３Ｃを示し、同図（ｄ）はコーナー開口２３Ｄを示す。
【００２５】
同図（ａ）に示すように、例えば片開き扉２３Ａは、戸板の旋回半径を示す細線からなる扇形３１と、壁を示す線分（１本線２１や、後述の太線および擬似２重線）をマスクするマスク部３２とをグループ化してなるブロックとして構成されている。ここで、ブロックとは、平行移動、回転移動および拡大・縮小といった編集処理が、相対位置関係を保ちながら一体的になされるように設定された図形の集合をいう。また、ブロックを構成する個々の図形を独立して変倍することも可能とされる。
【００２６】
マスク部３２は、前記壁を示す線分と完全に重なるように配置される長方形形状の図形とされ、その長さは開口部の幅と一致するように変倍され、かつその太さＨ１は後述の擬似２重線の幅Ｈ２（図６参照）と等しくなるように変倍される。
【００２７】
また、マスク部３２は、例えばオブジェクト（直線、曲線等の図形の構成要素）が存在しない部分と同色で描画され、出力装置５により出力されるように、色情報が設定される（例えば白地であればマスク部３２の印刷色も白となる）とともに、前記壁を示す線分よりも優先的に描画され、出力されるように、出力優先順位が設定される。この結果、開口要素３０が配置された部分で前記壁を示す線分が隠されて、その部分が開口しているように描画・出力、つまりディスプレイ装置３に表示されたり、プリンタによりプリントアウトされたりするものとされる。以下、かかる処理を単に描画・出力するという。
【００２８】
また、同図（ｂ）に示すように、両開き扉２３Ｂは、各戸板の旋回半径を示すための細線からなる扇形３４、３５と、マスク部３２とをグループ化したブロックとして構成されている。
【００２９】
また、同図（ｃ）に示すように、両引き戸式の窓２３Ｃは、各窓板を示すための細線分３６，３７と、マスク部３２とをグループ化したブロックとして構成されている。
【００３０】
また、同図（ｄ）に示すように、コーナー開口２３Ｄは、主幅および副幅を示すための細線からなる折れ線３８と、マスク部３２とをグループ化したブロックとして構成されている。
【００３１】
擬似２重線化処理部１４は、基本線描画処理部１１により１本線２１を用いて作図された壁を２重線に見えるように描画し、ディスプレイ装置３や出力装置５により出力する擬似２重線化処理をなすものとされる。
【００３２】
以下、図２〜図７を参照しながら作成装置Ｋにおける作図処理について説明する。
【００３３】
手順１：図２に示すように、入力装置４からの入力に応じて、基本線描画処理部１１が、壁の中心線に一致させて１本線２１を配置する。このとき、平面図に開口部を設ける場合にも、その部分を特に空けることなく、連続した線分により作図がなされるものとされる。
【００３４】
手順２：図２に示すように、入力装置４からの入力に応じて、柱要素配置処理部１２が、前記手順１にて作図された建物平面図の指定された位置に柱要素２２を配置する。
【００３５】
手順３：図３に示すように、入力装置４からの入力に応じて、開口要素配置処理部１３が、指定された位置に開口要素２３を配置する。このとき、前記手順１にて配置された１本線２１にマスク部３２の中心線を一致させて、開口要素２３を配置する。より具体的には、入力装置４としてのマウスにより開口要素２３が１本線２１の近傍までドラッグされたときに、いわゆるスナップ機能を利用して、１本線２１とマスク部３２の中心線とを正確に一致させるよう開口要素２３の位置および姿勢を補正する。
【００３６】
手順４：図５に示すように、擬似２重線化処理部１４が、壁を表すものとして配置された１本線２１を基に、同位置に、つまり１本線２１が中心線となるように、ポリラインとされた太線（以下第１太線と称する）２４を新たに自動的に作成して配置する。このとき、実際の壁厚と対応させて、外壁部分には大太線２４Ａが自動的に作成され、仕切壁部分には小太線２４Ｂが自動的に作成される。
【００３７】
ここで、開口要素２３のマスク部３２は、第１太線２４よりも優先的に描画され、出力されるので、開口要素２３が置かれた部分において、太線２４が切除されたように描画・出力がなされる。
【００３８】
手順５：図６に示すように、擬似２重線化処理部１４は、前記太線２４を、その太さおよび色（濃度）を異ならせて、同位置に、つまり中心線を一致させるようにして自動的に複写する。この手順５において複写により作成される太線（第２太線と称する）２５は、前記手順４にて作成された第１太線２４よりも優先的に描画・出力されるように、その出力優先順位が設定され、かつ第１太線２４よりも若干細くなるように、その太さ情報が設定される。また、その色情報は、例えばオブジェクトが存在しない部分と同色に描画・出力されるように自動的に設定される。
【００３９】
したがって、第１太線２４は、図６に示すように、第２太線２５の両脇にはみ出る辺縁部分のみが自動的に描画されることになる。このため、第１太線２４の太さと、その幅が一致する２重線（以下、擬似２重線と呼ぶ）により作図がなされているかのように建物平面図の描画・出力がなされる。
【００４０】
この結果、図７に示すように、実際の壁厚に対応する幅の２重線２６として平面図が描画・出力される。また、開口要素２３のマスク部３２により２重線２６がマスクされるため、開口要素２３の配置部分で２重線２６が切除されているように描画・出力がなされる。
【００４１】
ここで、擬似２重線の包絡については種々の方法が考えられるが、例えば壁と開口要素２３との境界部分（図７の領域Ｐ１参照）については、図４（ａ）に示すように、マスク部３２の厚さと同一長さの線分(包絡線分)３３をマスク部３２の両端に配置して開口要素２３を構成することにより、その部分の包絡を実現することが可能となる。
【００４２】
また、擬似２重線同士の交差部分については、例えばＴ字状の交差部（図７の領域Ｐ２参照）であれば、図８に示すように、重なり部分において、双方の第２太線２５を第１太線２４よりも優先的に描画・出力するよう設定する（第２太線２５同士の優先順位は結果に影響を与えない）ことによって、その部分の包絡をなすことが可能である。
【００４３】
また、図９に示すように、十字状の交差部についても、同様に容易に包絡をなすことが可能である。
【００４４】
また、柱要素２２と壁との交差部分についても、その詳細は省略するが、柱要素２２の色およびサイズを異ならせて同位置に複写し、その複写された図形を優先的に描画・出力するよう処理することによって、包絡を行うことが可能である。
【００４５】
また、前記手順４〜５の処理は、取り消し可能なものとして構成することが可能であり、これを取り消すことによって、１本線２１を用いて作図した平面図（図３参照）が開口要素２３を含めて即座に復元される。したがって、設計に変更が生じた場合にも、１本線２１を用いて作図した平面図において対応箇所の修正作業を行うことができるため、設計変更に伴う図面の修正が簡易になし得る。
【００４６】
図１０および図１１に、１本線２１を用いて作図した平面図（図１０参照）に対して実施形態１の処理を実行し、擬似２重線２６を用いて描画・出力させた平面図の実例（図１１参照）を示す。
【００４７】
このように、実施形態１の作成装置Ｋによれば、建物の設計を行うに際し、開口部の配置を意識することなく１本線２１を用いて作図を行い、開口部の設置箇所に対応する開口要素２３を配置するといった簡易な作業のみで建物平面図が自動的に作成される。これを描画・出力する際には、１本線２１の配置に基づき、実際の壁厚に対応する幅の擬似２重線２６が作成されるとともに、開口要素２３が配置された部分は、擬似２重線２６が切除されたように描画・出力がなされる。したがって、設計に変更が生じた場合にも、１本線２１を用いて作図された平面図を修正するだけで図面の修正がなし得るので、建物の設計に伴う作図作業が簡易化される。
【００４８】
また、開口部の変更については、開口要素２３を追加、削除または移動するだけで、対応する図面の修正がなし得るので、この場合の修正作業も極めて簡易なものとなる。
【００４９】
実施形態２
図１２に、実施形態２の平面図作成装置Ｋ１の概略構成を機能ブロック図により示す。同図に示すように、この実施形態２は実施形態１を改変してなるものであって、擬似２重線化処理部１４に代えて、２重線化処理部１５および包絡処理部１６を演算処理装置１に設けてなるものとされる。
【００５０】
すなわち、実施形態２の平面図作成装置（作成装置という）Ｋ１は、前記手順３までの処理により１本線２１を用いて作図された平面図（前記図３参照）において、１本線２１を２重線に変換し、かつ壁の交差部分の包絡処理を実施することにより、正式な設計図面を得るものとされる。
【００５１】
次に、図１３〜図１９を参照しながら、かかる構成とされている平面図作成装置Ｋ１における壁の自動２重線化処理および自動包絡処理について説明する。
【００５２】
手順１１：１本線２１を同位置に複写して壁作図線２８を作成する(図１３参照)。なお、図１３においては、説明の便宜上、１本線２１と壁作図線２８とは並列配置にて示している。このことは、以下の図においても同様とされる。
【００５３】
手順１２：元の１本線２１を一点鎖線の壁芯２９に変換する(図１４参照)。
【００５４】
手順１３：壁作図線２８の開口要素２３のマスク部３２との重なり部分を削除する(図１５参照)。
【００５５】
手順１４：マスク部３２との重なり部分が削除された壁作図線２８をポリライン化する。
【００５６】
手順１５：ポリライン化された壁作図線２８を壁厚に一致させて両側に壁厚に対応させてオフセットさせ壁線４１，４１を作図する(図１６参照)。
【００５７】
手順１６：壁作図線２８を削除する。
【００５８】
手順１７：マスク部３２を包絡線分３３を残して削除する(図１７参照)。
【００５９】
手順１８：壁芯２９および壁線４１の交点(図１８に丸印を付して示す)を通る壁線４１の線分(例えば図１８中の線分ａ，ｂ，ｃ，ｄ，ｅ，ｆ，ｇ)を両側の壁線４１，４１を切り取り線として切り取って削除する(図１８および図１９参照)。これにより、十字状やＴ字状の交差部における包絡が自動的になし得る。
【００６０】
このように、実施形態２の作成装置Ｋ１によれば、１本線２１により作図された平面図において、１本線２１を実際の壁厚に対応する幅の２重線４２に自動的に変換することができる。したがって、最終案を得るまでは１本線２１を用いて作図を行い、最終案を得た段階で１本線２１を自動的に２重線４２に変換し、正式な建物平面図を自動的に得るといった運用が可能となる。これにより、作図作業が簡易・迅速化される。
【００６１】
また、実施形態１の作成装置Ｋとの関係においては、設計の途中段階では、実施形態１の作成装置Ｋにより作図を行い、途中結果を擬似２重線２６により出力する一方で、最終的な設計案を得た段階で、実施形態２の作成装置Ｋ１により２重線４２を用いた平面図を得るといった運用が可能となる。したがって、両者を併用することによって、建物設計に伴う作図作業がより簡易かつ迅速化される。
【産業上の利用可能性】
【００６２】
本発明は、平面図において壁を２重線により描画する必要がある場合に適用して、その効率的な作図を実現できる。
【図面の簡単な説明】
【００６３】
【図１】本発明の実施形態１に係る建物の平面図作成方法が適用される平面図作成装置の機能ブロック図である。
【図２】同作成方法による作図例を示す図であり、基本線による作図例を示す。
【図３】同作成方法による作図例を示す図であり、扉、窓などの開口要素を配置した状態を示す。
【図４】補助記憶装置にデータベースとして格納されている開口要素の詳細を示す図である。
【図５】同作成方法による作図例を示す図であり、基本線から太線を作成した状態を示す。
【図６】擬似２重線化の詳細を模式的に示す図である。
【図７】同作図方法による作図例を示す図であり、擬似２重線化処理をした状態を示す。
【図８】擬似２重線における包絡方法の一例を示す図である。
【図９】擬似２重線における包絡方法の他の一例を示す図である。
【図１０】同作成方法による作図例を示す図であり、基本線を用いて作図された平面図の実例を示す。
【図１１】同作成方法による作図例を示す図であり、擬似２重線化処理された平面図の実例を示す。
【図１２】本発明の実施形態２に係る建物の平面図作成方法が適用される平面図作成装置の機能ブロック図である。
【図１３】同装置による処理手順の説明図であって、壁作図線を作成した状態を示す。
【図１４】同装置による処理手順の説明図であって、基本線を壁芯に変換した状態を示す。
【図１５】同装置による処理手順の説明図であって、壁作図線のマスク部との重なり部分を削除した状態を示す。
【図１６】同装置による処理手順の説明図であって、壁作図線をオフセットさせて壁線を作図した状態を示す。
【図１７】同装置による処理手順の説明図であって、マスク部を包絡線分を残して削除した状態を示す。
【図１８】同装置による処理手順の説明図であって、壁と壁の交差部の包絡前の状態を示す。
【図１９】同装置による処理手順の説明図であって、壁と壁の交差部の包絡後の状態を示す。
【符号の説明】
【００６４】
Ｋ、Ｋ１      平面図作成装置
１          演算処理装置
２          補助記憶装置
３          ディスプレイ装置
４          入力装置
５          出力装置
１１          基本線描画処理部
１３          開口要素配置処理部
１４          擬似２重線化処理部
１５          ２重線化処理部
１６          包絡処理部
２１          基本線（１本線）
２３          開口要素
２６          擬似２重線
２８          壁作図線
２９          壁芯
３３          包絡線分
４１          壁線
４２          ２重線
【図１】
2005182235.tif 000003
【図２】
2005182235.tif 000004
【図３】
2005182235.tif 000005
【図４】
2005182235.tif 000006
【図５】
2005182235.tif 000007
【図６】
2005182235.tif 000008
【図７】
2005182235.tif 000009
【図８】
2005182235.tif 000010
【図９】
2005182235.tif 000011
【図１０】
2005182235.tif 000012
【図１１】
2005182235.tif 000013
【図１２】
2005182235.tif 000014
【図１３】
2005182235.tif 000015
【図１４】
2005182235.tif 000016
【図１５】
2005182235.tif 000017
【図１６】
2005182235.tif 000018
【図１７】
2005182235.tif 000019
【図１８】
2005182235.tif 000020
【図１９】
2005182235.tif 000021